【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
脊柱内の椎間板を置換する装置であって、
第１の端部と、
対向する第２の端部と、
前記第１の端部と第２の端部との間に延びる第１および第２の横側部と、
前記脊柱の第１の椎骨と係合可能である外側表面と、
前記装置を前記第１の椎骨に連結させるように、前記第１の椎骨と係合可能である前記外側表面から延びる第１のレールであって、当該第１のレールは、前記第１の端部に隣接して前記外側表面から第１の距離で延び、また前記第１のレールは、前記第２の端部に隣接して前記外側表面から第１の距離で延び、前記第２の距離は前記第１の距離より大きい、第１のレールと、を備えた装置。
【請求項２】
前記第１のレールは、前記外側表面から延びる複数の突起を備える、請求項１に記載の装置。
【請求項３】
前記第１のレールの第１の突起は、ある距離を前記外側表面から延び、前記距離は、前記第１のレールの第２の突起が前記外側表面から延びる距離よりも小さく、前記第１のレールは、前記第２の端部のより近くに配置される、請求項２に記載の装置。
【請求項４】
前記第１のレールの第１の突起は、外向きおよび前記第１の端部に向かって面する第１の表面と、外向きおよび前記第２の端部に向かって面する第２の表面とを有し、前記第１の突起は、外向きおよび前記第１および第２の横側部に向かって面する第１および第２の横表面を備え、前記第１の突起は前記外側表面とほぼ平行に延びる上側表面を備える、請求項２に記載の装置。
【請求項５】
前記装置を前記第１の椎骨に連結させるように、前記第１の椎骨と係合可能である前記外側表面から延び、前記第１のレールとほぼ平行に延びる第２のレールをさらに備えた、請求項１に記載の装置。
【請求項６】
前記第２のレールは、前記第１のレールが前記外側表面から延びるよりも大きい距離だけ前記外側表面から延びる、請求項５に記載の装置。
【請求項７】
前記第２のレールは、前記第１のレールより前記第１の横側部のより近くに配置された、請求項６記載の装置。
【請求項８】
前記装置の前記第１の端部は、前記脊柱の後部側に隣接して配置され、前記装置の前記第２の端部は、前記装置が前記第１の椎骨と前記第２の椎骨との間に挿入された場合に、前記脊柱の前部側に隣接して配置される、請求項１記載の装置。
【請求項９】
第１の表面および第２の表面を有する弾力性のある芯と、
前記弾力性のある芯の前記第１の表面に連結される第１の保持装置であって、当該第１の保持装置は、前記脊柱の前記第１の椎骨と係合可能である前記外側表面、および前記弾力性のある芯の前記第１の表面に面する内側表面を有する、第１の保持装置と、
前記弾力性のある芯の前記第２の表面に連結される第２の保持装置であって、当該第２の保持装置は、前記脊柱の前記第２の椎骨と係合可能である前記外側表面、および前記弾力性のある芯の前記第２の表面に面する内側表面を有する、第２の保持装置と、をさらに備えた請求項１に記載の装置。
【請求項１０】
前記第１および第２の保持装置の前記内側表面は、前記弾力性のある芯の前記第１および第２の表面に連結されている、請求項９に記載の装置。
【請求項１１】
前記第１および第２の保持装置の前記内側表面の少なくとも一部は、前記弾力性のある芯の前記第１および第２の表面から間隔を置いて配置されている、請求項１０に記載の装置。
【請求項１２】
前記第１および第２の保持装置の前記内側表面の前記部分は、前記弾力性のある芯の前記第１および第２の表面から間隔を置いて配置され、前記第１および第２の保持装置上で中心に配置されている、請求項１１に記載の装置。
【請求項１３】
前記第１の保持装置は、第１の取付部材および第１の保持部材を備え、前記第１の保持部材は、前記第１の椎骨と係合可能な前記外側表面および前記芯の前記第１の表面に固定された内側表面を有し、前記第１の取付部材は、前記芯に面し、前記芯の前記第１の表面から間隔を置いて配置された内側表面を備える、請求項９に記載の装置。
【請求項１４】
前記第１の保持部材は、前記第１の保持部材の前記内側および外側表面を通して延びる開口を有し、前記第１の取付部材は前記開口内に配置されている、請求項１３に記載の装置。
【請求項１５】
前記開口は、前記第１の保持部材を通して軸方向に延びる、請求項１４に記載の装置。
【請求項１６】
前記第１の取付部材は、前記第１の保持部材に連結されている、請求項１３に記載の装置。
【請求項１７】
前記第１の取付部材は、前記第１の保持部材に対して移動しないようにされた、請求項１６に記載の装置。
【請求項１８】
前記外側表面から延び、前記第１のレールに対してほぼ横に延びる長さを有する第２のレールをさらに備えた、請求項１に記載の装置。
【請求項１９】
脊柱内の椎間板を置換する装置であって、
第１の端部と、
対向する第２の端部と、
前記第１の端部と前記第２の端部との間に延びる、第１および第２の横側部と、
前記脊柱の第１の椎骨と係合可能である外側表面と、
前記外側表面から延び、前記装置を前記第１の椎骨に連結させるように、前記第１の椎骨と係合可能である、第１の突起であって、前記第１の突起は前記外側表面から第１の距離で延びる、第１の突起と、
前記外側表面から延び、前記装置を前記第１の椎骨に連結させるように、前記第１の椎骨と係合可能である、第２の突起であって、当該第２の突起は、前記第１の突起よりも前記第２の端部に対してより近くに配置され、前記第２の突起は、前記第１の距離よりも大きい第２の距離で前記外側表面から延びる、第２の突起と、を備えた装置。
【請求項２０】
前記第１の突起は、外向きおよび前記第１の端部に向かって面する第１の表面と、外向きおよび前記第２の端部に向かって面する第２の表面とを有し、前記第１の突起は、外向きおよび前記第１および第２の横側部に向かって面する第１および第２の横表面を備え、前記第１の突起は前記外側表面とほぼ平行に延びる上側表面を備える、請求項１９に記載の装置。
【請求項２１】
前記第２の突起は、外向きおよび前記第１の端部に向かって面する第１の表面と、外向きおよび前記第２の端部に向かって面する第２の表面とを有し、前記第２の突起は、外向きおよび前記第１および第２の横側部に向かって面する第１および第２の横表面を備え、前記第２の突起は前記外側表面とほぼ平行に延びる上側表面を備える、請求項２０に記載の装置。
【請求項２２】
前記装置の前記第１の端部は、前記脊柱の後部側に隣接して配置され、前記装置の前記第２の端部は、前記装置が前記第１の椎骨と前記第２の椎骨との間に挿入された場合に、前記脊柱の前側部に隣接して配置される、請求項１９に記載の装置。
【請求項２３】
第１の表面および第２の表面を有する弾力性のある芯と、
前記弾力性のある芯の前記第１の表面に連結される第１の保持装置であって、当該第１の保持装置は、前記脊柱の前記第１の椎骨と係合可能である前記外側表面、および前記弾力性のある芯の前記第１の表面に面する内側表面を有する、第１の保持装置と、
前記弾力性のある芯の前記第２の表面に連結される第２の保持装置であって、当該第２の保持装置は、前記脊柱の前記第２の椎骨と係合可能である前記外側表面、および前記弾力性のある芯の前記第２の表面に面する内側表面を有する、第２の保持装置と、をさらに備えた、請求項１９に記載の装置。
【請求項２４】
前記第１および第２の保持装置の前記内側表面は、前記弾力性のある芯の前記第１および第２の表面に連結されている、請求項２３に記載の装置。
【請求項２５】
前記第１および第２の保持装置の前記内側表面の少なくとも一部は、前記弾力性のある芯の前記第１および第２の表面から間隔を置いて配置されている、請求項２４に記載の装置。
【請求項２６】
前記第１および第２の保持装置の前記内側表面の前記部分は、前記弾力性のある芯の前記第１および第２の表面から間隔を置いて配置され、前記第１および第２の保持装置上で中心に配置されている、請求項２５に記載の装置。
【請求項２７】
前記第１の保持装置は、第１の取付部材および第１の保持部材を備え、前記第１の保持部材は、前記第１の椎骨と係合可能な前記外側表面および前記芯の前記第１の表面に固定された内側表面を有し、前記第１の取付部材は、前記芯に面し、前記芯の前記第１の表面から間隔を置いて配置された内側表面を備える、請求項２５に記載の装置。
【請求項２８】
前記第１の保持部材は、前記第１の保持部材の前記内側および外側表面を通して延びる開口を有し、前記第１の取付部材は前記開口内に配置されている、請求項２７に記載の装置。
【請求項２９】
前記開口は、前記第１の保持部材を通して軸方向に延びる、請求項２８に記載の装置。
【請求項３０】
前記第１の取付部材は、前記第１の保持部材に連結されている、請求項２７に記載の装置。
【請求項３１】
前記第１の取付部材は、前記第１の保持部材に対して移動しないようにされる、請求項３０に記載の装置。
【請求項３２】
前記外側表面から延びる第１および第２のレールをさらに備えた装置であって、前記第１のレールは、前記第１および第２の端部に対してほぼ横に延びる長さを有し、前記第２のレールは、前記第１のレールに対してほぼ横に延びる長さを有する、請求項１９に記載の装置。
【請求項３３】
脊柱内の椎間板を置換する装置であって、
第１の端部と、
対向する第２の端部と、
前記第１の端部と第２の端部の間に延びる第１および第２の横側部と、
前記脊柱の第１の椎骨と係合可能である外側表面と、
前記外側表面から延びる第１および第２のレールであって、前記第１のレールは、前記第１および第２の端部に対してほぼ横に延びる長さを有し、前記第２のレールは、前記第１のレールに対してほぼ横に延びる長さを有する、第１および第２のレールと、を備えた装置。
【請求項３４】
前記第１および第２のレールは、互いにほぼ垂直に延びる長さを有する、請求項３３に記載の装置。
【請求項３５】
前記第１のレールは前記外側表面から第１の距離で延び、前記第２のレールは前記第１の距離より小さい第２の距離を前記外側表面から延びる、請求項３３に記載の装置。
【請求項３６】
前記第１のレールは、骨内部成長を行うための凹部を備える、請求項３３に記載の装置。
【請求項３７】
前記第１のレールは、前記外側表面から延びる複数の突起を備える、請求項３３に記載の装置。
【請求項３８】
前記第１のレールの第１の突起は、前記第１のレールの第２の突起が前記外側表面から延びるよりも大きい距離で、前記外側表面から延び、前記第１のレールは、前記第２の端部のより近くに配置される、請求項３７に記載の装置。
【請求項３９】
前記第１のレールの第１の突起は、外向きおよび前記第１の端部に向かって面する第１の表面と、外向きおよび前記第２の端部に向かって面する第２の表面とを有し、前記第１の突起は、外向きおよび前記第１および第２の横側部に向かって面する第１および第２の横表面を備え、前記第１の突起は、前記外側表面とほぼ平行に延びる上側表面を備える、請求項３７に記載の装置。
【請求項４０】
前記装置を前記第１の椎骨に連結させるように、前記第１の椎骨と係合可能な前記外側表面から延びる第３のレールをさらに備え、前記第３のレールは、前記第１のレールとほぼ平行に延びるた、請求項３３に記載の装置。
【請求項４１】
前記第３のレールは、前記第１のレールが前記外側表面から延びるのより大きな距離で前記外側表面から延びる、請求項４０に記載の装置。
【請求項４２】
前記第３のレールは、前記第１のレールより前記第１の横側部の近くに配置される、請求項４１に記載の装置。
【請求項４３】
前記装置の前記第１の端部は、前記脊柱の後部側に隣接して配置され、前記装置の前記第２の端部は、前記装置が前記第１の椎骨と前記第２の椎骨との間に挿入された場合に、前記脊柱の前部側に隣接して配置される、請求項３８に記載の装置。
【請求項４４】
第１の表面および第２の表面を有する弾力性のある芯と、
前記弾力性のある芯の前記第１の表面に連結される第１の保持装置であって、当該第１の保持装置は、前記脊柱の前記第１の椎骨と係合可能である前記外側表面、および前記弾力性のある芯の前記第１の表面に面する内側表面を有する、第１の保持装置と、
前記弾力性のある芯の前記第２の表面に連結される第２の保持装置であって、当該第２の保持装置は、前記脊柱の前記第２の椎骨と係合可能である前記外側表面、および前記弾力性のある芯の前記第２の表面に面する内側表面を有する、第２の保持装置と、をさらに備えた、請求項３３に記載の装置。
【請求項４５】
前記第１および第２の保持装置の前記内側表面は、前記弾力性のある芯の前記第１および第２の表面に連結されている、請求項４４に記載の装置。
【請求項４６】
前記第１および第２の保持装置の前記内側表面の少なくとも一部は、前記弾力性のある芯の前記第１および第２の表面から間隔を置いて配置されている、請求項４５に記載の装置。
【請求項４７】
前記第１および第２の保持装置の前記内側表面の前記部分は、前記弾力性のある芯の前記第１および第２の表面から間隔を置いて配置され、前記第１および第２の保持装置上で中心に配置されている、請求項４６に記載の装置。
【請求項４８】
前記第１の保持装置は、第１の取付部材および第１の保持部材を備え、前記第１の保持部材は、前記芯の前記第１の表面に固定された内側表面を有し、前記第１の取付部材は、前記芯に面し、前記芯の前記第１の表面から間隔を置いて配置された内側表面を備える、請求項４４に記載の装置。
【請求項４９】
前記第１の保持部材は、前記第１の保持部材の前記内側および外側表面を通して延びる開口を有し、前記第１の取付部材は前記開口内に配置される、請求項４８に記載の装置。
【請求項５０】
前記開口は、前記第１の保持部材を通して軸方向に延びる、請求項４９に記載の装置。
【請求項５１】
前記第１の取付部材は、前記第１の保持部材に連結される、請求項４９に記載の装置。
【請求項５２】
前記第１の取付部材は、前記第１の保持部材に対して移動しないようにされる、請求項５１に記載の装置。
【請求項５３】
前記取付部材は、前記第１および第２のレールを備える、請求項４８に記載の装置。
【手続補正２】
【補正対象書類名】明細書
【補正対象項目名】発明の名称
【補正方法】変更
【補正の内容】
【発明の名称】椎間板を置換する装置